【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
外部装置と通信するための通信手段と、
コンテンツデータファイルが記録された装置にアクセス可能な取得手段と、
前記外部装置の要求に応答して、前記外部装置に前記コンテンツデータファイルの情報を前記通信手段を通じて提供する制御手段と、を有し、
前記制御手段は、要求する情報の数が指定され前記要求する情報の順序が指定されていない、前記コンテンツデータファイルの情報の要求を前記外部装置から受信した場合、前記コンテンツデータファイルのうち、新しいものの情報から順に、前記指定された数の情報を前記外部装置に送信することを特徴とする電子機器。
【請求項２】
前記コンテンツデータファイルの情報が、前記コンテンツデータファイルのＩＤと、エントリ情報とを含むことを特徴とする請求項１記載の電子機器。
【請求項３】
前記電子機器は、前記コンテンツデータファイルの情報を前記外部装置が要求することを可能にするアプリケーションプログラミングインターフェース（ＡＰＩ）を提供し、前記外部装置から受信した前記ＡＰＩのリクエストに応答して、前記コンテンツデータファイルの情報を前記外部装置に送信することを特徴とする請求項１または請求項２に記載の電子機器。
【請求項４】
前記制御手段は、前記順序が指定されたコンテンツデータファイルの要求を受信した場合には、指定されている順序に従って前記コンテンツデータファイルの情報を送信することを特徴とする請求項１から請求項３のいずれか１項に記載の電子機器。
【請求項５】
前記要求する情報の数は、前記コンテンツデータファイルの情報の要求に含まれる引数として指定されることを特徴とする請求項１から請求項４のいずれか１項に記載の電子機器。
【請求項６】
前記要求する情報の順序は、前記コンテンツデータファイルの情報の要求に含まれる引数として指定されることを特徴とする請求項１から請求項４のいずれか１項に記載の電子機器。
【請求項７】
前記通信手段を通じて、前記外部装置に送信されたコンテンツデータファイルの情報に基づき前記外部装置から送信された、前記コンテンツデータファイルの要求を受信し、
前記コンテンツデータファイルの要求は、前記コンテンツデータファイルを１つずつ要求するものであることを特徴とする請求項１から請求項６のいずれか１項に記載の電子機器。
【請求項８】
前記電子機器は、デジタルカメラであることを特徴とする請求項１から請求項７のいずれか１項に記載の電子機器。
【請求項９】
前記電子機器は、携帯電話であることを特徴とする請求項１から請求項７のいずれか１項に記載の電子機器。
【請求項１０】
前記電子機器は、タブレット端末であることを特徴とする請求項１から請求項７のいずれか１項に記載の電子機器。
【請求項１１】
前記外部装置は、デジタルカメラであることを特徴とする請求項１から請求項１０のいずれか１項に記載の電子機器。
【請求項１２】
前記外部装置は、携帯電話であることを特徴とする請求項１から請求項１０のいずれか１項に記載の電子機器。
【請求項１３】
前記外部装置は、タブレット端末であることを特徴とする請求項１から請求項１０のいずれか１項に記載の電子機器。
【請求項１４】
外部装置と通信するための通信手段を有する電子機器の制御方法であって、
制御手段が、前記外部装置の要求に応答して、前記外部装置にコンテンツデータファイルの情報を前記通信手段を通じて提供する制御工程を有し、
前記制御工程において前記制御手段は、要求する情報の数が指定され前記要求する情報の順序が指定されていない、前記コンテンツデータファイルの情報の要求を前記外部装置から受信した場合、前記コンテンツデータファイルのうち、新しいものの情報から順に、前記指定された数の情報を前記外部装置に送信することを特徴とする電子機器の制御方法。
【請求項１５】
コンピュータを、請求項１から請求項１３のいずれか１項に記載の電子機器が有する各手段として機能させるためのプログラム。
【手続補正２】
【補正対象書類名】明細書
【補正対象項目名】０００７
【補正方法】変更
【補正の内容】
【０００７】
上述の目的は、外部装置と通信するための通信手段と、コンテンツデータファイルが記録された装置にアクセス可能な取得手段と、外部装置の要求に応答して、外部装置にコンテンツデータファイルの情報を通信手段を通じて提供する制御手段と、を有し、制御手段は、要求する情報の数が指定され要求する情報の順序が指定されていない、コンテンツデータファイルの情報の要求を外部装置から受信した場合、コンテンツデータファイルのうち、新しいものの情報から順に、指定された数の情報を外部装置に送信することを特徴とする電子機器によって達成される。
【手続補正３】
【補正対象書類名】明細書
【補正対象項目名】００２３
【補正方法】変更
【補正の内容】
【００２３】
近距離通信部１１２は、例えば無線通信のためのアンテナと無線信号を処理するため変復調回路や通信コントローラから構成される。近距離通信部１１２は、変調した無線信号をアンテナから出力し、またアンテナで受信した無線信号を復調することでＩＳＯ／ＩＥＣ  １８０９２の規格（いわゆるＮＦＣ：Near Field Communication）に従った近距離無線通信を実現する。また、通信部１１１で用いるような無線通信規格に準拠して近距離無線通信を実現する構成であってもよい。本実施形態において、近距離通信部１１２のアンテナは、図１（ｃ）に示すようにデジタルカメラ１００の側面に配される。
【手続補正４】
【補正対象書類名】明細書
【補正対象項目名】００３８
【補正方法】変更
【補正の内容】
【００３８】
なお、通信部２１１が有する無線通信インターフェイスの規格は無線ＬＡＮに限定されるものではなく、例えば赤外線通信方式、Ｂｌｕｅｔｏｏｔｈ（登録商標）通信方式、ＷｉｒｅｌｅｓｓＵＳＢ、任意の無線通信規格に準拠したものであってよい。通信部２１１が有線通信インターフェイスを有する場合も、ＵＳＢ、ＨＤＭＩ（登録商標）、ＩＥＥＥ１３９４、Ｅｔｈｅｒｎｅｔ（登録商標）など、任意の規格に準拠したインターフェイスを備えることができる。
【手続補正５】
【補正対象書類名】明細書
【補正対象項目名】００３９
【補正方法】変更
【補正の内容】
【００３９】
近距離通信部２１２は、デジタルカメラ１００の近距離通信部１１２と同様の構成を有し、ＮＦＣに従った近距離無線通信を実現する。また、通信部２１１で用いるような無線通信規格に準拠して近距離無線通信を実現する構成であってもよい。近距離通信部２１２は、外部装置からデータ読み出し要求を受けると、不揮発性メモリ２０３に格納されているデータに基づき、応答データを出力する。
【手続補正６】
【補正対象書類名】明細書
【補正対象項目名】００４０
【補正方法】変更
【補正の内容】
【００４０】
公衆網通信部２１３は、公衆無線通信インターフェイスである。スマートデバイス２００は、公衆網通信部２１３を介して、他の機器と通信することができる。この際、制御部２０１はマイク２１４およびスピーカ２１５を介して音声信号の入力と出力を行うことで、通話を実現する。本実施形態では、公衆網通信部２１３はアンテナであり、制御部２０１は、アンテナを介して、公衆網に接続することができる。なお、通信部２１１および公衆網通信部２１３は、一つのアンテナで兼用することも可能である。
【手続補正７】
【補正対象書類名】明細書
【補正対象項目名】００４７
【補正方法】変更
【補正の内容】
【００４７】
ＡＰＩ３０３(RequestContentInfo)は、デジタルカメラ１００の保存領域に保存されているコンテンツデータファイルのコンテンツＩＤと基本情報（エントリ情報）を外部装置が取得できるようにするＡＰＩである。外部装置は、ＡＰＩ３０２（RequestMemoryInfo）で取得した保存領域ＩＤ、コンテンツフォーマットの種類、取得要求数を引数に指定してこのＡＰＩをリクエストする。これにより、デジタルカメラ１００の保存領域に保存されているコンテンツデータファイルごとのコンテンツＩＤと、エントリ情報（ファイル名、ファイルサイズ、ファイル生成日時など）との両方がレスポンスとして取得できる。なお、コンテンツＩＤとは、コンテンツデータファイルを個々に識別するために割り振られた識別情報である。なお、本実施形態におけるＡＰＩには、作業用メモリ１０４のサイズに応じて、外部装置が情報を一度に取得できるコンテンツデータファイルの数に上限値（ここでは１００）が設定されている。よって、保存領域に保存されているコンテンツデータファイルの数がこのＡＰＩに設定された上限値を超える場合、制御部１０１はこのＡＰＩを繰り返しリクエストする必要がある。
【手続補正８】
【補正対象書類名】明細書
【補正対象項目名】０１０８
【補正方法】変更
【補正の内容】
【０１０８】
ＡＰＩ８０１(RequestContentInfo2)は、第１の実施形態における同様のＡＰＩ３０３(RequestContentInfo)と比較すると、引数にソート条件が追加されている点で異なる。本実施形態では、ソート条件として、コンテンツデータファイル番号順（先頭から昇順）、生成日時順（新しい方から古い方へ降順）が指定できるものとするが、デジタルカメラ１００が提供可能であればこれ以外の条件が指定できても構わない。他の引数、１度のリクエストで情報を取得可能なコンテンツデータの上限数、およびレスポンスで得られる情報の内容については第１の実施形態で説明したRequestContentInfo３０３と同様である。
【手続補正９】
【補正対象書類名】明細書
【補正対象項目名】０１１０
【補正方法】変更
【補正の内容】
【０１１０】
すなわち、Ｓ４０８において制御部２０１がＡＰＩRequestContentInfo２ ８０１をデジタルカメラ１００にリクエストする際、保存領域ＩＤ、コンテンツフォーマットの種類、および取得要求枚数に加え、ソート条件を引数に指定する。ここでは、ソート条件としてコンテンツデータファイルのファイル番号順（先頭から昇順）を指定するものとするが、他の条件が指定されてもよい。また、ソート条件は予めスマートデバイス２００のアプリケーションで予め規定されたものであっても、ユーザが選択可能であってもよい。
【手続補正１０】
【補正対象書類名】明細書
【補正対象項目名】０１１２
【補正方法】変更
【補正の内容】
【０１１２】
そして、制御部１０１は、取得要求数のコンテンツデータ情報から情報リストを生成し、作業用メモリ１０４に保存する。そして、制御部１０１は、ＡＰＩの引数として指定されたソート条件（ここではファイル番号が昇順になるようにソート）に従って、作業用メモリ１０４内でコンテンツデータ情報をソートする。
【手続補正１１】
【補正対象書類名】明細書
【補正対象項目名】０１１７
【補正方法】変更
【補正の内容】
【０１１７】
Ｓ１０１５において制御部１０１は、RequestContentInfo2 ８０１の引数に指定されたソート条件がコンテンツデータファイルのファイル番号順であるか否かを判定し、ファイル番号順であればＳ１０１６へ、そうでない場合はＳ１０１７へ、処理を進める。
Ｓ１０１６において、制御部１０１は、取得したコンテンツデータ情報を、コンテンツデータファイルのファイル番号の順（昇順）に並べ替え、作業用メモリ１０４内に保存する。
【手続補正１２】
【補正対象書類名】図面
【補正対象項目名】図３
【補正方法】変更
【補正の内容】
【図３】
2016053840.tif 000001
【手続補正１３】
【補正対象書類名】図面
【補正対象項目名】図８
【補正方法】変更
【補正の内容】
【図８】
2016053840.tif 000002